(57)【要約】【課題】容易に実施でき、子眼鏡フレームの携帯が便利で随時使用を可能にする捲り上げ装置を有する吸付け式親子眼鏡を提供する。【解決手段】子眼鏡フレーム１のブリッジ１１に一つの調整パーツ１２を設け、該調整パーツ１２の中に予め一個以上の磁性パーツ１２ａ（或いはその他の吸着性を有するパーツ）を設けておき、磁性パーツ１２ａの両側に其々一つの貫通孔１２ｂを設け、該貫通孔１２ｂによって固着パーツ１２ｃ及び枢接パーツ１１ａを入れることができる。【選択図】図３
0003122017.tif 000002
【実用新案登録請求の範囲】
【請求項１】
子眼鏡フレームのブリッジに一つの調整パーツが設けられることを特徴とする捲り上げ装置を有する吸付け式親子眼鏡。
【請求項２】
該調整パーツの中には少なくとも一個以上の磁性パーツ或いは他の吸着性を有するパーツが予め設けられる請求項１に記載の捲り上げ装置を有する吸付け式親子眼鏡。
【請求項３】
該磁性パーツの両側に其々一つの貫通孔が設けられることを特徴とする請求項２に記載の捲り上げ装置を有する吸付け式親子眼鏡。
【請求項４】
該貫通孔によって固着パーツ及び枢接パーツを入れることが可能であることを特徴とする請求項３に記載の捲り上げ装置を有する吸付け式親子眼鏡。
【請求項５】
該固着パーツに其々一つの窪んだ溝が設けられることを特徴とする請求項４に記載の捲り上げ装置を有する吸付け式親子眼鏡。
【考案の詳細な説明】
【技術分野】
【０００１】
本考案は一種の捲り上げ装置を有する吸付け式親子眼鏡に関するものであり、主としては、子眼鏡フレームのブリッジに調整パーツを設けることにより、実施に際して簡易になる外、子眼鏡フレームの携帯に便利になり随時使用が可能になるという目的を実現するものである。
【背景技術】
【０００２】
本考案人は嘗て「内蔵吸付け式親子眼鏡」を創作したことがあり、それは図１及び図２に示したようになる。該考案においては、主として子眼鏡フレーム１０或いは親眼鏡フレーム２０のブリッジ１０ａ、２０ａの内部に少なくとも一個以上の磁性パーツ１０ｂを埋設したことにより、外見において美観を損なうことなく、磁性パーツ１０ｂの使用寿命も延長できる。内蔵吸付け式親子眼鏡にしても或いは一般の吸付け式親子眼鏡にしても、子眼鏡フレームを親眼鏡フレームから取外した場合、子眼鏡フレームを適当な位置に収納しなければならないため、使用者にとって不便をもたらす。
【考案の開示】
【考案が解決しようとする課題】
【０００３】
本考案の設計目的とは、一種の捲り上げ装置を有する吸付け式親子眼鏡を提供することにあり、実施に際しては簡易になり、且子眼鏡フレームの携帯が便利になり随時使用が可能になるという目的を実現させる。
【課題を解決するための手段】
【０００４】
本考案は、一種の捲り上げ装置を有する吸付け式親子眼鏡であり、主としては子眼鏡フレームのブリッジに一つの調整パーツを設け、該調整パーツの中に予め一個以上の磁性パーツ（或いはその他の吸着性を有するパーツ）を設けておき、磁性パーツの両側に其々一つの貫通孔を設け、該貫通孔によって固着パーツ及び枢接パーツを入れることができる。
【考案を実施するための最良の形態】
【０００５】
本考案の一実施例による捲り上げ装置を有する吸付け式親子眼鏡は、図３に示すように、主としては子眼鏡フレーム１のブリッジ１１に一つの調整パーツ１２が設けてあり、該調整パーツ１２に予め一個以上の磁性パーツ１２ａ（或いは他の吸着性を有するパーツ）が設けてあり、磁性パーツ１２ａの両側に其々一つの貫通孔１２ｂが設けてあり、該貫通孔１２ｂによって固着パーツ１２ｃ及び枢接パーツ１１ａを入れることができる。
【０００６】
組立てるとき、固着パーツ１２ｃを貫通孔１２ｂの中に入れることによって固着パーツ１２ｃのネジ孔１２１を他の一端の貫通孔１２ｂから突出させ、それから再びブリッジ１１にある枢接パーツ１１ａのネジ孔１１１と固着パーツ１２ｃのネジ孔１２１とを互いに枢接にし、また締付けパーツＮを以ってネジ孔１１１、１２１を貫通してから締付けて、最後、詰め物１３を貫通孔１２ｂの一端の中に入れる。
【０００７】
使用を実施する場合、子眼鏡フレーム１の調整パーツ１２を親眼鏡フレーム２に被せると、磁性パーツ１２ａは親眼鏡フレーム２のブリッジ２ａ（金属製或いは一個以上の磁性パーツを設ける）と互いに吸付けあうようになり、図４に示すようになる。子眼鏡フレーム１を使わない場合、それを前へ引き伸ばして枢接パーツ１１ａ及び固着パーツ１２ｃを連れ、固着パーツ１２ｃの頭部１２２が貫通孔１２ｂの内壁１２ｄの中に寄りかかるまで前へ作動させると、図５に示すようになり、それから枢接パーツ１１ａが調整パーツ１２に寄りかかるように再び子眼鏡フレーム１を適当な位置（例えば１８０度）まで捲り上げると、図６に示すようになる。
【０００８】
本考案におけるもう一つのよりよい実施例では、図７及び図８に示すように、組立てて実施することは前述の一実施例において述べたようであり、実施に使用する場合、図９に示すように、枢接パーツ１１ａが調整パーツ１２の窪んだ溝１２３内に寄りかかるように子眼鏡フレーム１を適当な位置（例えば１８０度）まで捲り上げると、図１０に示すようになる。
前記に述べたものは僅か本考案のよりよい実施例でしかないため、それを以って本考案の実施範囲を制限することができない。凡そ本考案の請求範囲によった均等な変化及び修飾は全て本考案に内包される範囲内に属されるべきである。
【図面の簡単な説明】
【０００９】
【図１】考案人が前に創作した内蔵吸付け式親子眼鏡の分解並びに一部断面の模式図である。
【図２】考案人が前に創作した内蔵吸付け式親子眼鏡を実施する模式図である。
【図３】本考案の一実施例による捲り上げ装置を有する吸付け式親子眼鏡の分解斜視図である。
【図４】本考案の一実施例による捲り上げ装置を有する吸付け式親子眼鏡の側面から見た断面図である。
【図５】本考案の一実施例による捲り上げ装置を有する吸付け式親子眼鏡を実施する際の作動時の模式図である。
【図６】本考案の一実施例による捲り上げ装置を有する吸付け式親子眼鏡を実施する際の作動時の模式図である。
【図７】本考案のもう一つの実施例による捲り上げ装置を有する吸付け式親子眼鏡の分解斜視図である。
【図８】本考案のもう一つの実施例による捲り上げ装置を有する吸付け式親子眼鏡の側面から見た断面図である。
【図９】本考案のもう一つの実施例における作動時の模式図である。
【図１０】本考案のもう一つの実施例における作動時の模式図である。
【符号の説明】
【００１０】
１  子眼鏡フレーム、１１  ブリッジ、１１ａ  枢接パーツ、１１１、１２１  ネジ孔、１２  調整パーツ、１２ａ  磁性パーツ、１２ｂ  貫通孔、１２ｃ  固着パーツ、１２ｄ  内壁、１２１  ネジ孔、１２２  頭部、１２３  窪んだ溝、１３  詰め物、Ｎ  締付けパーツ
【図１】
0003122017.tif 000003
【図２】
0003122017.tif 000004
【図３】
0003122017.tif 000005
【図４】
0003122017.tif 000006
【図５】
0003122017.tif 000007
【図６】
0003122017.tif 000008
【図７】
0003122017.tif 000009
【図８】
0003122017.tif 000010
【図９】
0003122017.tif 000011
【図１０】
0003122017.tif 000012